(57)【要約】【課題】中柱を所定位置に簡単かつ良好に固定できるものでありながら、中柱の高さ調整作業を現場において簡単に行う。【解決手段】係合部材９が開口部の所定位置に設けたキャッチ部材１３の係合孔１２に係合することで中柱３を所定位置に固定する中柱３の固定装置である。中柱３の上端部位に余端部３００を残してハンガーブラケット７を装着し、中柱３を、前記ブラケット７に設けたハンガーローラ８を介して開口部上方のハンガーレール６に対して移動自在に吊持させる。前記ブラケット７には、中柱３の余端部３００に対向する面に、常時上方に突出していると共に、解除操作具９３を下方に引くことで突出姿勢から退避姿勢となる係合部材９を設けた。【選択図】図３
2006328895.tif 000002
【特許請求の範囲】
【請求項１】
開口部幅方向に移動自在の中柱を、係合部材が開口部の所定位置に設けたキャッチ部材の係合孔に係合することで所定位置に固定する中柱の固定装置であって、
中柱の上端部位に余端部を残してハンガーブラケットを装着し、該中柱を、該ブラケットに設けたハンガーローラを介して開口部上方のハンガーレールに対して移動自在に吊持させ、
該ブラケットには、該中柱の該余端部に対向する面に、常時上方に突出していると共に、解除操作具を下方に引くことで突出姿勢から退避姿勢となる係合部材を設けたことを特徴とする中柱の固定装置。
【請求項２】
ハンガーローラと、係合部材と、解除操作具とを、略同じ鉛直線上に位置させてある、請求項１に記載の中柱の固定装置。
【請求項３】
垂直方向に延出する面部を有し、該面部には、上端部にハンガーローラを設けると共に、該ハンガーローラの下方に位置させて、係合部材を設け、
該係合部材は常時上方に突出していると共に、該係合部材の下端部に設けた解除操作具を下方に引くことで突出姿勢から退避姿勢となることを特徴とするハンガーブラケット。
【発明の詳細な説明】
【技術分野】
【０００１】
本発明は、可動中柱の固定装置に関するものである。
【背景技術】
【０００２】
従来から、大開口部を閉鎖するために、複数のシャッター装置を連設することが行われている。この場合、左右の両側部にガイドレールを備えた可動中柱を用意し、開口部開放時には、当該中柱を開口部端部に寄せて収納しておき、開口部閉鎖時には、当該中柱を所定位置まで移動させて固定する。そして、開口部端部に立設したガイドレールと、可動中柱側部に設けたガイドレール間にシャッターカーテンを案内して開口部を閉鎖する。
【０００３】
可動中柱は、上端部位にハンガーローラを備えており、当該ローラを介して、開口部上方に敷設したハンガーレールに移動可能に吊持される。通常、ハンガーレールは、中柱の中心を通る鉛直線から偏倚した位置で開口幅方向に延出しており、中柱は、いわば片持ち状態で吊持されているため不安定であり、これをいかにして円滑に所定位置まで移動させて、所定位置で簡単かつ確実に固定するかが問題となる。
【０００４】
特許文献１には、中柱の前面若しくは後面の少なくとも一方に設けたブラケットに承支されたラッチが、所定位置に設けたキャッチの下面に形成した係合孔に侵入することで、中柱を所定位置に固定できる装置が開示されている。また、ハンガーローラは、該ブラケットとは別部材のＺ形のロッドに設けてある。しかしながら、このものは、以下のような課題がある。
【０００５】
第１に、シャッター装置が設置される現場の土間コンクリート高さは、シャッター装置の製作時点ではわからない場合があり、その場合は、土間コンクリートの高さは、現場でシャッター装置を取り付ける時に決定される。したがって、現場において、土間コンクリート高さに合わせて中柱の高さ調整が必要となったり、また、床面を仕上げし直したような場合にも、開口高さが変化するため、中柱の高さ寸法を調節する必要がある。中柱の寸法の調整は、中柱を切断することで行うが、中柱の下方部位には、中柱の下端側を固定するための落としロッドが装着されているため、中柱の高さ寸法の調節は、通常は、中柱の上端側を切断することによって行う。しかし、特許文献１のものは、中柱の上端部位に、ラッチを備えたブラケットが装着しているため、ブラケットを中柱の上端に設けたものでは、上端部の切断の際に、ブラケットを一度外し、切断後に再びブラケットを取り付ける必要があり、現場作業が煩雑となる。
【０００６】
第２に、また、中柱は柱中心を通る鉛直線に対して大きく偏移した位置で吊られているので、中柱の移動時や、ラッチの解放時のチェーンの引きによって、中柱が倒れ易いという不具合がある。中柱が大きく倒れると、シャッターによって区画された内部空間の収納物（例えば、内部空間が車庫である場合の車）に中柱が接触してしまうおそれもある。
【０００７】
【特許文献１】特開昭５８−１１０７９０
【発明の開示】
【発明が解決しようとする課題】
【０００８】
本発明は、中柱を所定位置に簡単かつ良好に固定できるものでありながら、中柱の高さ調整作業を現場において簡単に行うことができる、中柱の固定装置を提供することを目的とするものである。
【０００９】
本発明の他の目的は、中柱の倒れ量をなるべく小さく抑えることにある。
【課題を解決するための手段】
【００１０】
かかる課題を達成するために本発明が採用した技術手段は、開口部幅方向に移動自在の中柱を、係合部材が開口部の所定位置に設けたキャッチ部材の係合孔に係合することで所定位置に固定する中柱の固定装置であって、中柱の上端部位に余端部を残してハンガーブラケットを装着し、該中柱を、該ブラケットに設けたハンガーローラを介して開口部上方のハンガーレールに対して移動自在に吊持させ、該ブラケットには、該中柱の該余端部に対向する面に、常時上方に突出していると共に、解除操作具を下方に引くことで突出姿勢から退避姿勢となる係合部材を設けたことを特徴とする中柱の固定装置である。
【００１１】
一つの好ましい態様では、ハンガーローラと、係合部材と、解除操作具とを、略同じ鉛直線上に位置させてある。また、好ましくは、ハンガーレールは、シャッターカーテンを挿通させるシャッターケースの下面に形成された開口溝部に近接させて設けてある。一つの好ましい態様では、中柱に対するハンガーブラケットの装着位置を、中柱の高さ方向に可変としている。
【００１２】
本発明が採用した他の技術手段は、中柱を吊持するハンガーブラケットに係り、該ハンガーブラケットは、垂直方向に延出する面部を有し、該面部には、上端部にハンガーローラを設けると共に、該ハンガーローラの下方に位置させて、係合部材を設け、該係合部材は常時上方に突出していると共に、該係合部材の下端部に設けた解除操作具を下方に引くことで突出姿勢から退避姿勢となる。好ましくは、該ハンガーローラと、該係合部材と、該解除操作具とを、略同じ鉛直線上に位置させてある。
【発明の効果】
【００１３】
本発明では、中柱の上端部位に余端部を残してハンガーブラケットを装着し、該中柱を、該ブラケットに設けたハンガーローラを介して開口部上方のハンガーレールに対して移動自在に吊持させ、該ブラケットには、中柱の該余端部に対向させて係合部材を設けたものであるので、中柱の上端部位を構成する余端部にはいかなる部材も装着されておらず、中柱の高さ寸法を調整したい場合には、中柱上端の余端部をそのまま適宜切断すればよい。請求項２に記載したように、ハンガーローラと、係合部材と、解除操作具とを、略同じ鉛直線上に位置させたものでは、中柱の移動時、固定時における係合部材の係合状態の解除時等において、中柱が大きく倒れることがない。
【００１４】
請求項３の記載のハンガーブラケットには、ハンガーローラ、係合部材が設けてあるので、当該ハンガーブラケットを用いて中柱を吊持した場合には、中柱の上端部位には係合部材等のいかなる部材を設ける必要がなく、中柱の高さ寸法を調整したい場合には、中柱上端の余端部をそのまま適宜切断すればよい。さらに、ハンガーブラケットにおいて、ハンガーローラと、係合部材と、解除操作具とを、略同じ鉛直線上に位置させてあるので、当該ハンガーブラケットを用いて中柱を移動可能に吊持させれば、中柱の移動時、固定時における係合部材の係合状態の解除時等において、中柱が大きく倒れることがない。
【発明を実施するための最良の形態】
【００１５】
図１は、本発明に係る可動中柱を有する二連シャッター装置の全体正面図であり、開口部の幅方向には、二つのシャッター装置が並設されており、建物開口部が二つのシャッターカーテン１によって全閉された状態を示している。建物開口部の開口幅方向の両端部には固定柱２が立設されており、開口幅の中央部位には可動中柱３が立設されている。開口部両端の固定柱２には、それぞれガイドレール２０，２１が設けてあると共に、可動中柱３の左右両端にもそれぞれガイドレール２２，２３が形成されている。二連シャッター装置のそれぞれのシャッターカーテン１は、カーテン幅方向の一方の端部が固定柱２のガイドレール２０，２１によって、カーテン幅方向の他方の端部が可動の中柱３のガイドレール２２，２３によって、それぞれ案内されている。
【００１６】
開口部上方には、二つのシャッターケース４が開口幅方向に連設されており、それぞれのシャッターケース内には巻取シャフト５が設けてあり、各シャッターカーテン１の上端部が各巻取シャフト５に連結されている。一方（図１において左半部）のシャッターケース４の下方には、シャッターカーテン１の移動経路を形成する開口溝部４０に近接して、ハンガーレール６が敷設されている。こうして、可動中柱３の中心を通る鉛直線と、ハンガーレール６を通るハンガーローラ８の鉛直線とを近づけることで、中柱３の倒れをなるべく小さくしている。
【００１７】
可動中柱３は、上端部位に設けたハンガーローラ８を介してハンガーレール６に移動可能に吊持されている。建物開口部全開時には、それぞれのシャッターカーテン１を巻き取った後で、中柱３をハンガーレール６に沿って、開口部端部（ガイドレール２０側）に移動させて収納するようになっている。
【００１８】
図５に示すように、中柱３の本体は、断面視長方形状の柱体であり、断面視において、前面３０及び後面３１を構成する見付面が長辺で、左右の側面３２，３３を構成する見込面が短辺となっている。左右の側面３２，３３には、ガイドレール２２，２３がそれぞれ形成されている。本明細書では、図２における外部側の面を前面３０、内部側の面を後面３１とするが、これは、中柱３の構成を説明するための便宜上のことであって、前面、後面は逆であってもよい。
【００１９】
中柱３の後面３１の上端部位には、ハンガーブラケット７が装着されており、ハンガーブラケット７の上端部位にはハンガーローラ８が設けてある。ハンガーブラケット７は、垂直状の幅広の面部７０と、面部７０の下端より水平状に延出する水平片７１と、水平片７１の先端から下方に延出する垂直片７２とを有し、垂直片７２を介して中柱３の後面３１に装着されている。幅広の面部７０は、中柱３の全体の幅寸法（本体の見付方向の幅寸法＋両側のガイドレールの見付方向の幅寸法）と略同じ幅を有する幅広の縦長方形状の形状を有しており、上端部には、幅方向端部に位置して二つのハンガーローラ８がそれぞれ装着されている。上述のように、シャッターケースの下方部位において、開口溝部４０に近接して、ハンガーレール６が敷設されているため、水平片７１の見込方向の幅寸法は、なるべく小さく設計されている。
【００２０】
面部７０には、中柱３の後面３１に対向する面の中央部位、すなわち、幅方向中央部位かつ、高さ方向中央部位において、係合部材９が装着されている。係合部材９は、縦長状の筐体９０と、その頭部が筐体９０の上端より上方に突出するラッチ９１と、筐体９０内にあってラッチ９１の頭部を常時本体の上端より上方に突出させる付勢手段であるスプリング（図示せず）と、本体の下方に位置しており、それを下方に引くことで、ラッチ９１をスプリング力に抗して下方に退避させるための解除レバー９２とを有している。解除レバー９２には、解除レバー９２より下方に垂下する解除操作具が装着されている。解除操作具は、上端が解除レバーに連結されており、水平片７１に形成された挿通孔７１０を挿通するワイヤ９３と、ワイヤ９３の下端に一体的に設けられた掴み部９４からなる。
【００２１】
ハンガーブラケット７と中柱３との連結について説明する。上述のように、ハンガーブラケット７は下端側の垂直片７２によって、中柱３の後面３１の上端部位に、上端側に所定寸法の余端部３００を設けるようにして、装着される。中柱３の上端部位において、垂直片７２が装着される位置より上方の余端部３００には、いかなる部材も設けてなく、余端部３００は、そのまま切断することができる。
【００２２】
垂直片７２には挿通孔７２０が形成されており、一方、中柱３の後面３１においては、垂直片７２が装着される位置に、上下に延びる長孔３１０が形成されている。垂直片７２と中柱３の後面３１は、挿通孔７２０、長孔３１０に挿通させたボルト１０を垂直片７２側からナット１１で締めることで連結されている。したがって、中柱３に対するハンガーブラケット７の連結位置は、長孔３１０の寸法内において調整可能となっている。このように構成することで、中柱３の上端側の余端部３００を所望寸法だけ切断して中柱３の高さを調整した場合において、長孔３１０によって切断分だけ、垂直片７２の連結位置を移動することで、吊持された中柱３の上端の高さ位置を調整することができる。長孔３１０に代えて、複数の孔を高さ方向に形成してもよいが、作業性や融通性を考慮すると、長孔が有利である。
【００２３】
図６は、図１における、中柱３の上方部位の部分拡大図である。尚、図６では、ハンガーブラケットは省略してあり、ラッチ９１から構成される係合部材９のみを記載してある。図３、図６に示すように、中柱３が固定される所定位置において、シャッターケース４の下面には、シャッターケース４に形成された開口溝部４０を前後から挟むようにして、側面視Ｌ形状のガイド部材４１，４２が装着されている。ガイド部材４１，４２は、それぞれの水平片を介してシャッターケース４の下面に装着されており、それぞれの垂直片間に、中柱３の上端部（余端部３００）が受け入れられる。ガイド部材４１，４２は、移動する中柱３の上端部を所定の固定位置に良好に案内すると共に、固定位置における、中柱３の上端部の振れを規制している。
【００２４】
中柱３の後面３１側に位置するガイド部材４２には、ラッチ９１の頭部の係合孔１２が形成されたキャッチ部材１３が装着されている。キャッチ部材１３は、垂直状の装着片１４と中柱３の移動方向に略水平状に延出するガイド片１５からなる。ガイド片１５は、中柱３の収納方向側に位置する傾斜部１５０と、中柱３の固定方向側に位置する水平部１５１と、を有し、傾斜部１５０の下面は収納方向に向かって斜め上方（固定方向に向かって斜め下方）に延出するガイド面を形成している。中柱３を収納位置から固定位置へと移動させる際に、上方に突出するラッチ９１の頭部が傾斜部１５０に案内されて、水平部１５１へと導かれ、水平部１５１に形成された係合孔１２にラッチ９１の頭部が係合することで、中柱３が固定される。ハンガーレール６の端部には、当接部６０が設けてあり、ラッチ９１が係合孔１２に係合した時に、ハンガーローラ８が当接部６０に当るようになっている。
【００２５】
中柱３の後面３１の下端部には、落としロッド３４が上下方向に移動可能に設けてあり、ラッチ９１が係合孔１２に係合して中柱３が所定位置に固定された時に、落としロッド３４を下方に移動させて床面Ｆに形成された係合孔３５に係合させることで、中柱３の下端部を固定するようになっている。
【００２６】
このように構成された、中柱の固定装置において、建物開口部を閉鎖したい時には、開口部端部に収納されていた中柱３をハンガーレール６に沿って開口部幅方向中央部位に向けて移動させると、中柱３に装着したハンガーブラケット７に設けたラッチ９１が、開口部上方の所定位置に設けたガイド片１５に案内されて、ガイド部材に形成されている係合孔１２に係合することで、中柱３の上端部位の固定位置が決定される。ついで、中柱３の下端部位の落としロッド３４を下方に移動させて、床面Ｆの係合孔３５に係合させて中柱３の下端部位を固定する。そして、シャッターカーテン１が、その幅方向端部がガイドレール２０，２２，２３，２１に案内されながら降下して開口部を閉鎖する。
【００２７】
開口部を開放する場合には、下端側の係合状態を解除し、解除操作具の掴み部９４を握ってワイヤ９３を下方に引くことで、ラッチ９１が係合孔１２から退避して、ラッチ９１の係合状態が解除される。ハンガーローラ８と、ラッチ９１と、解除操作具９３，９４とは、略同じ鉛直線上に位置しているので、解除操作具によってラッチ９１の係合状態を解除する時において、下端側の係合状態を先に解除しても、中柱３が大きく倒れることがない。また、ハンガーレール６が開口溝部４０に近接しているので、移動時にも中柱３の倒れや振れが少ない。
【００２８】
中柱３の高さ寸法の調整が必要となった場合には、中柱３の上端側の余端部３００を必要量だけ切断すればよい。そして、長孔３１０によって切断分だけ、垂直片７２の連結位置を移動することで、吊持された中柱３の上端の高さ位置を調整することができる。
【産業上の利用可能性】
【００２９】
本発明は、複数のシャッター装置で開口部を閉鎖する際の中柱に利用することができる。
【図面の簡単な説明】
【００３０】
【図１】本発明に係る中柱を用いて二つのシャッター装置によって開口部を閉鎖した状態を示す正面図である。
【図２】図１の状態の側面図である。
【図３】図２の拡大図である。
【図４】ハンガーブラケットの構成を示す図である。
【図５】中柱の構成を示す図である。
【図６】図１における、中柱の上方部位の部分拡大図である。
【符号の説明】
【００３１】
３  中柱
６  ハンガーレール
７  ハンガーブラケット
７０  面部
７１  水平片
７２  垂直片
８  ハンガーローラ
９  係合部材
９１  ラッチ
９２  解除レバー
９３  解除操作ワイヤ
１２  係合孔
１３  キャッチ部材
１５  ガイド片
【図１】
2006328895.tif 000003
【図２】
2006328895.tif 000004
【図３】
2006328895.tif 000005
【図４】
2006328895.tif 000006
【図５】
2006328895.tif 000007
【図６】
2006328895.tif 000008